(57)【特許請求の範囲】
【請求項１】
原稿画像情報と付加価値を有する特定画像情報を合成して出力記録する画像処理装置において、
利用者の操作により処理条件である前記原稿画像情報に対する特定画像情報の占有領域を設定入力可能な操作指示手段と、
前記原稿画像情報を入力する原稿画像情報入力手段と、
前記特定画像情報を記憶する特定画像記憶手段と、
前記操作指示手段より設定された前記原稿画像情報に対する特定画像情報の占有領域に基づいて料金を算出する料金算出手段と、
設定された占有領域と前記料金算出手段により算出した料金に基づいて、前記特定画像記憶手段に記憶された特定画像情報の中から特定画像情報を抽出する特定画像情報抽出手段と、
入力された原稿画像情報と前記特定画像記憶手段に記憶された特定画像情報の中から選択した特定画像情報の処理の指示を出す画像情報編集手段と、
前記画像情報編集手段の指示により画像処理を行う画像処理手段と、
前記原稿画像情報と抽出された中から選択した特定画像情報を合成処理する画像合成手段と、
合成画像情報を画像として出力記録する画像情報出力手段と、
を備えたことを特徴とする画像処理装置。
【請求項２】
原稿画像情報と付加価値を有する特定画像情報を合成して出力記録する画像処理装置において、
利用者の操作により処理条件である特定画像数と前記原稿画像情報に対する特定画像情報の占有領域を設定入力可能な操作指示手段と、
前記原稿画像情報を入力する原稿画像情報入力手段と、
前記特定画像情報を記憶する特定画像記憶手段と、
前記操作指示手段より設定された特定画像数と前記特定画像情報の占有領域に基づいて、料金を算出する料金算出手段と、
前記操作指示手段により設定された特定画像数と占有領域及び前記料金算出手段により算出された料金に基づいて、前記特定画像記憶手段に記憶された特定画像情報の中から特定画像情報を抽出する特定画像情報抽出手段と、
入力された原稿画像情報と前記特定画像記憶手段に記憶された特定画像情報の中から選択した特定画像情報の処理の指示を出す画像情報編集手段と、
前記画像情報編集手段の指示により画像処理を行う画像処理手段と、
前記原稿画像情報と抽出された中から選択した特定画像情報を合成処理する画像合成手段と、
合成画像情報を画像として出力記録する画像情報出力手段と、
を備えたことを特徴とする画像処理装置。
【請求項３】
前記操作指示手段は表示手段を備え、該表示手段は選択設定するための前記占有領域を段階的な大きさごとに複数表示することを特徴とする請求項１又は２記載の画像処理装置。
【請求項４】
前記操作指示手段は表示手段を備え、該表示手段は選択設定するための記録材サイズ毎の前記占有領域を複数表示することを特徴とする請求項１又は２記載の画像処理装置。
【請求項５】
前記操作指示手段は、前記占有領域の設定値に限界値を設け、該限界値を超えて設定できないようにしていることを特徴とする請求項１又は２記載の画像処理装置。
【請求項６】
原稿画像情報と付加価値を有する特定画像情報を合成して出力記録する画像処理装置において、
利用者の操作により処理条件である前記原稿画像情報に対する特定画像情報の占有領域を設定入力可能な操作指示手段と、
前記原稿画像情報を入力する原稿画像情報入力手段と、
前記特定画像情報を記憶する特定画像記憶手段と、
前記操作指示手段より設定された前記原稿画像情報に対する特定画像情報の占有領域に基づいて合成する特定画像数を算出する特定画像数算出手段と、
前記占有領域に基づいて料金を算出する料金算出手段と、
設定された占有領域と前記料金算出手段により算出した料金に基づいて、前記特定画像記憶手段に記憶された特定画像情報の中から特定画像情報を抽出する特定画像情報抽出手段と、
入力された原稿画像情報と前記特定画像記憶手段に記憶された特定画像情報の中から選択した特定画像情報の処理の指示を出す画像情報編集手段と、
前記画像情報編集手段の指示により画像処理を行う画像処理手段と、
前記原稿画像情報と抽出された中から選択した特定画像情報を合成処理する画像合成手段と、
合成画像情報を画像として出力記録する画像情報出力手段と、
を備えたことを特徴とする画像処理装置。
【請求項７】
前記画像情報編集手段は、特定画像占有領域を特定画像ごとに等分割して各特定画像を割り当てることを特徴とする請求項６記載の画像処理装置。
【請求項８】
前記画像情報編集部は、設定あるいは算出された前記占有領域のサイズに特定画像のサイズがほぼ合うように該特定画像の変倍率を確定して前記画像処理手段手段に指示を行うことを特徴とする請求項６のいずれかに記載の画像処理装置。
【請求項９】
前記画像情報編集部は、特定画像が見やすい変倍率範囲が定められており、該変倍率範囲内で倍率設定を行うことを特徴とする請求項６記載の画像処理装置。
【請求項１０】
前記画像情報編集部は、変倍された特定画像情報を特定画像情報占有領域の略中央に移動させることを特徴とする請求項６記載の画像処理装置。
【発明の詳細な説明】
【０００１】
【発明の属する技術分野】
本発明は、原稿から読み取った画像情報に特定画像情報（広告画像等）を合成して出力する画像処理装置に関するものである。
【０００２】
【従来の技術】
一般的に、カラー画像処理装置、例えばカラーデジタル複写機においては、画像読取部から入力された原稿の画像に対して所定の画像処理を施して、出力部からカラー原稿の画像を出力したり、パーソナルコンピュータなどの外部機器において編集された画像情報を受け取り画像情報を出力する。さらに最近では、カラー原稿の画像に対して所定の処理を施して表現力豊かなカラー画像に変更したり、複数のカラー画像を同時に編集するなど多くの編集機能を備えた高機能の装置となっている。
【０００３】
また、最近のコピーサービス市場においては、従来から白黒の複写機が主流であったが、デジタルビデオカメラやデジタルカメラ、パーソナルコンピュータなどカラー画像を扱う機器が携帯端末として数多く商品化されるようになり、個人的にもカラーデジタル画像を取り扱う機会が増えている。このような中で複写機もカラーデジタル複写機が市場の要望に応じて商品化されてきていると共に、コンビニエンスストアなど小規模の小売店でもカラーコピーサービスとして導入されるようになってきている。
【０００４】
【発明が解決しようとする課題】
しかし、このようなカラーデジタル複写機においては、従来から商品化されていた白黒の複写機をカラーデジタル複写機に置き換えただけで、カラーコピーが提供できるといった点では従来と異なるものの、複写機の入れ替えなどに必要な経費の面から見ると、カラーデジタル複写機に置き換えてまでサービスを行うかという点で疑問を感じるところがある。
また、白黒コピーとカラーコピーの１枚あたりの価格にまだ大きな差があって、コピーサービス市場において、カラーデジタル複写機の著しい伸びを期待できるまでは至っていないのが現状である。
【０００５】
そこで、何らかの付加価値を付けて、経費の不利を解消することが考えられる。例えば、特開昭５８−８７５６４号公報に開示されているように、用紙の所定位置に原稿上の画像情報とは異なる付加情報（複写の年月日、ページ数等）を記録するものがある。しかし、こうした機能だけでは、カラーデジタル複写機である必要はなく、又、付加情報と原稿情報の区別も不明確となってしまうおそれもある。
【０００６】
本発明の目的は、料金と特定画像情報の価値を比較して、料金と特定画像を選ぶことができ、装置を提供する側からみても、また、利用する側から見ても、便利で使いやすい画像処理装置を提供することである。
【００１２】
【課題を解決するための手段】
本発明は、原稿画像情報と付加価値を有する特定画像情報を合成して出力記録する画像処理装置において、利用者の操作により処理条件である前記原稿画像情報に対する特定画像情報の占有領域を設定入力可能な操作指示手段と、前記原稿画像情報を入力する原稿画像情報入力手段と、前記特定画像情報を記憶する特定画像記憶手段と、前記操作指示手段より設定された前記原稿画像情報に対する特定画像情報の占有領域に基づいて料金を算出する料金算出手段と、設定された占有領域と前記料金算出手段により算出した料金に基づいて、前記特定画像記憶手段に記憶された特定画像情報の中から特定画像情報を抽出する特定画像情報抽出手段と、入力された原稿画像情報と前記特定画像記憶手段に記憶された特定画像情報の中から選択した特定画像情報の処理の指示を出す画像情報編集手段と、前記画像情報編集手段の指示により画像処理を行う画像処理手段と、前記原稿画像情報と抽出された中から選択した特定画像情報を合成処理する画像合成手段と、合成画像情報を画像として出力記録する画像情報出力手段と、を備えたことを特徴とする。
【００１３】
本発明は、原稿画像情報と付加価値を有する特定画像情報を合成して出力記録する画像処理装置において、利用者の操作により処理条件である特定画像数と前記原稿画像情報に対する特定画像情報の占有領域を設定入力可能な操作指示手段と、前記原稿画像情報を入力する原稿画像情報入力手段と、前記特定画像情報を記憶する特定画像記憶手段と、前記操作指示手段より設定された特定画像数と前記特定画像情報の占有領域に基づいて、料金を算出する料金算出手段と、前記操作指示手段により設定された特定画像数と占有領域及び前記料金算出手段により算出された料金に基づいて、前記特定画像記憶手段に記憶された特定画像情報の中から特定画像情報を抽出する特定画像情報抽出手段と、入力された原稿画像情報と前記特定画像記憶手段に記憶された特定画像情報の中から選択した特定画像情報の処理の指示を出す画像情報編集手段と、前記画像情報編集手段の指示により画像処理を行う画像処理手段と、前記原稿画像情報と抽出された中から選択した特定画像情報を合成処理する画像合成手段と、合成画像情報を画像として出力記録する画像情報出力手段と、を備えたことを特徴とする。
【００１５】
本発明は、前記操作指示手段は表示手段を備え、該表示手段は選択設定するための前記占有領域を段階的な大きさごとに複数表示することを特徴とする。
【００１６】
本発明は、前記操作指示手段は表示手段を備え、該表示手段は選択設定するための記録材サイズ毎の前記占有領域を複数表示することを特徴とする。
【００１７】
本発明は、前記操作指示手段は、前記占有領域の設定値に限界値を設け、該限界値を超えて設定できないようにしていることを特徴とする。
【００１８】
本発明は、原稿画像情報と付加価値を有する特定画像情報を合成して出力記録する画像処理装置において、利用者の操作により処理条件である前記原稿画像情報に対する特定画像情報の占有領域を設定入力可能な操作指示手段と、前記原稿画像情報を入力する原稿画像情報入力手段と、前記特定画像情報を記憶する特定画像記憶手段と、前記操作指示手段より設定された前記原稿画像情報に対する特定画像情報の占有領域に基づいて合成する特定画像数を算出する特定画像数算出手段と、前記占有領域に基づいて料金を算出する料金算出手段と、設定された占有領域と前記料金算出手段により算出した料金に基づいて、前記特定画像記憶手段に記憶された特定画像情報の中から特定画像情報を抽出する特定画像情報抽出手段と、入力された原稿画像情報と前記特定画像記憶手段に記憶された特定画像情報の中から選択した特定画像情報の処理の指示を出す画像情報編集手段と、前記画像情報編集手段の指示により画像処理を行う画像処理手段と、前記原稿画像情報と抽出された中から選択した特定画像情報を合成処理する画像合成手段と、合成画像情報を画像として出力記録する画像情報出力手段と、を備えたことを特徴とする。
【００１９】
本発明は、前記画像情報編集手段は、特定画像占有領域を特定画像ごとに等分割して各特定画像を割り当てることを特徴とする。
【００２０】
本発明は、前記画像情報編集部は、設定あるいは算出された前記占有領域のサイズに特定画像のサイズがほぼ合うように該特定画像の変倍率を確定して前記画像処理手段手段に指示を行うことを特徴とする。
【００２１】
本発明は、前記画像情報編集部は、特定画像が見やすい変倍率範囲が定められており、該変倍率範囲内で倍率設定を行うことを特徴とする。
【００２２】
本発明は、前記画像情報編集部は、変倍された特定画像情報を特定画像情報占有領域の略中央に移動させることを特徴とする。
【００２３】
【発明の実施の形態】
以下、本発明の実施の形態について、図面を参照しながら説明する。
【００２４】
＜カラーデジタル複写機についての説明＞
図１は、本発明に係る画像処理装置の実施形態であるカラーデジタル複写機の構成を示す概略断面図である。カラーデジタル本体１の上面には、原稿台２及び操作パネル（図示せず）が設けられている。原稿台２の上面には、該原稿台２に対して開閉可能な状態で支持され、かつ原稿台２面に対して所定の位置関係をもって自動原稿送り装置３が装着されている。さらに、このカラーデジタル本体１の内部には画像読み取り部４及び画像形成部９が構成されている。
【００２５】
まず、カラーデジタル本体１の上面において原稿台２上に装着された自動原稿送り装置３は、両面原稿に対応した両面自動原稿送り装置（ＲＡＤＦ）である。この自動原稿送り装置３は、原稿の一方の面が原稿台２の所定位置において対向するように原稿を搬送し、この一方の面について画像読み取りが終了した後に、他方の面が原稿台２の所定位置において対向するよう原稿を反転して原稿台２に向かって搬送する。
そして、１枚の原稿について両面の画像読み取りが終了した後に、この原稿を排出し、次の原稿について両面搬送動作を実行する。なお、以上の原稿の搬送および表裏反転の動作は、カラーデジタル全体の動作に関連して制御されるものである。
【００２６】
また、自動原稿送り装置３により原稿台２上に搬送されてきた原稿の画像を読み取るために、原稿台２の下方には該原稿台２の下面に沿って平行に往復移動する原稿走査体を有する画像読み取り部４が配置されている。
この画像読み取り部４は、第１の走査ユニット５と、第２の走査ユニット６と、光学レンズ７と、光電変換素子８とから構成されている。第１の走査ユニット５は、原稿画像面を露光する露光ランプと原稿からの反射光像を所定の方向に向かって偏向する第１ミラーとからなり、原稿台下面において一定の距離を保ちながら所定の走査速度で平行往復移動する。第２の走査ユニット６は、第１の走査ユニット５の第１ミラーにより偏向された原稿からの反射光像をさらに所定の方向に向かって偏向する第２・第３ミラーからなり、第１の走査ユニット５と一定の速度関係をもって平行往復移動する。光学レンズ７は、第２の走査ユニット６の第３ミラーにより偏向された原稿からの反射光像を縮小して所定の位置に光像を結像させる。光電変換素子８は、３ラインのカラーＣＣＤであり、光学レンズにより縮小された光像が結像され、光像を順次光電変換して原稿からの反射光像を電気信号として出力する。すなわち、白黒原稿あるいはカラー原稿画像を読み取りＲＧＢの色成分に色分解したラインデータを出力することができる。この光電変素子８により電気信号に変換された原稿画像情報は、さらに後述する画像処理部に転送され画像データとして所定の処理が施される。
【００２７】
次にカラーデジタル複写機１の下部側に位置する画像形成部９について説明する。
図１に示す画像形成部９内の下側には、給紙機構１１が設けられており、用紙トレイ内に積載収容されている用紙を１枚ずつ分離して、画像を記録する記録部１０の側に向かって供給する。そして１枚ずつ分離供給された用紙は、記録部１０の手前に配置されたレジストローラ対１２によりタイミング制御搬送され、記録部１０とタイミングをとって再供給搬送される。記録部１０の下方には、略平行にのびた転写搬送ベルト機構１３が配置されており、駆動ローラ１４と従動ローラ１５などの複数のローラ間に張架された転写搬送ベルト１６に用紙を静電吸着させて搬送する構成となっている。
【００２８】
さらに転写搬送ベルト機構１３の下流側には用紙上に転写形成されたトナー像を用紙上に定着させるための定着装置１７が配置されており、この定着装置１７の定着ローラニップ間を通過した用紙は搬送方向切り換えゲート１８を経て排出ローラ１９により装置外壁に取り付けられている排紙トレイ２０上に排出される。
【００２９】
なお、切り換えゲート１８は定着後の用紙を装置外へと排出するか、再び記録部１０に向かって再供給するか選択的に用紙の搬送経路を切り換えるものである。この切り換えゲート１８により再び記録部１０に向かって搬送方向を切り換えられた用紙は、スイッチバック搬送経路２１を介して表裏反転の後、記録部１０へと再度供給される。
【００３０】
また、駆動ローラ１４と従動ローラ１５などにより略平行に張架された転写搬送ベルト１６の上側には、該転写搬送ベルト１６に近接して搬送経路上流側から順に第１、第２、第３及び第４の画像形成ステーションＰａ，Ｐｂ，Ｐｃ，Ｐｄが並設され、記録部１０を構成している。そして、転写搬送ベルト１６は、駆動ローラ１４によって、図１において矢印Ｚで示す方向に摩擦駆動され、前にも述べたように上記給紙機構１１を通じて給送される転写材を担持し、上述した画像形成ステーションＰａ，Ｐｂ，Ｐｃ，Ｐｄへと順次搬送する。
【００３１】
各画像形成ステーションＰａ〜Ｐｄは実質的に同一の構成を有し、図１に矢印Ｆ方向に回転駆動される感光体ドラム２２ａ，２２ｂ，２２ｃ，２２ｄを含む。各感光体ドラム２２ａ〜２２ｄの周辺には、感光体ドラム２２ａ〜２２ｄを一様に帯電する帯電器２３ａ，２３ｂ，２３ｃ，２３ｄと、感光体ドラム２２ａ〜２２ｄ上に形成された静電潜像を現像する現像装置２４ａ，２４ｂ，２４ｃ，２４ｄと、現像されたトナー像を転写材へ転写する転写用放電器２５ａ，２５ｂ，２５ｃ，２５ｄと、感光体ドラム２２ａ〜２２ｄ上に残留するトナーを除去するクリーニング手段２６ａ，２６ｂ，２６ｃ，２６ｄとが感光体ドラム２２ａ〜２２ｄの回転方向に沿って順次配置されている。
【００３２】
また、各感光体ドラム２２ａ〜２２ｄの上方には、画像データに応じて変調されたドット光を発する半導体レーザ素子と、半導体レーザ素子からの光を主走査方向に偏向させるための偏向装置と、偏向装置により偏向されたレーザ光を感光体表面に結像させるためのｆθレンズなどから構成されるレーザビームスキャナユニット２７ａ，２７ｂ，２７ｃ，２７ｄがそれぞれ設けられている。レーザビームスキャナユニット２７ａにはカラー原稿画像のイエロー成分像に対応する画素信号が、レーザビームスキャナユニット２７ｂにはカラー原稿画像のマゼンタ成分像に対応する画素信号が、レーザビームスキャナユニット２７ｃにはカラー原稿画像のシアン成分像に対応する画素信号が、そして、レーザビームスキャナユニット２７ｄにはカラー原稿画像のブラック成分像に対応する画素信号がそれぞれ入力される。
【００３３】
これにより記録部１０の感光体ドラム２２ａ〜２２ｄ上には色変換された原稿画像情報に対する静電潜像が形成され、記録部１０の上記現像装置２４ａにはイエロー色のトナーが、現像装置２４ｂにはマゼンタ色のトナーが、現像装置２４ｃにはシアン色のトナーが、現像装置２４ｄにはブラック色のトナーがそれぞれ収容されているので、記録部１０において色変換された原稿画像情報が各色のトナー像として再現される。
【００３４】
また、第１の画像形成ステーションＰａと給紙機構１１との間には用紙吸着用（ブラシ）帯電器２８が設けられており、この吸着用帯電器２８は転写搬送ベルト１６の表面を帯電させ、給紙機構１１から供給される転写材を上記搬送ベルト１６上に確実に吸着させた状態で第１の画像形成ステーションＰａから第４の画像形成ステーションＰｄの間をずれることなく搬送させる。
一方、第４の画像形成ステーションＰｄと定着装置１７との間で駆動ローラ１４のほぼ真上部には除電器（図示されず）が設けられており、この除電器には搬送ベルト１６に静電吸着されている転写材を分離するための交流電流が印加されている。
【００３５】
上記構成のカラーデジタル複写機において、転写材としてカットシート状のものが使用され、この転写材が給紙カセットから送り出されて給紙機構１１の給紙搬送経路のガイド内に供給されると、その転写材の先端部分がセンサ（図示せず）にて検知され、このセンサから出力される検知信号によって一旦用紙はレジストローラ対１２により停止する。そして、各画像形成ステーションＰａ〜Ｐｄとタイミングをとって図１の矢印Ｚ方向に回転している搬送ベルト１６側に送られる。このとき先に述べた吸着用帯電器２８により搬送ベルト１６は所定の帯電が施されているので、各画像形成ステーションＰａ〜Ｐｄを通過する間、安定搬送供給されることとなる。
【００３６】
各画像形成ステーションＰａ〜Ｐｄにおいては、各色のトナー像が上記構成によりそれぞれ形成され、上記搬送ベルト１６により静電吸着搬送される転写材の支持面上に重ね合わされる。第４の画像形成ステーションＰｄによる画像の転写が完了すると、用紙の先端部分から除電用放電器により搬送ベルト１６上から剥離され、定着装置１７へと導かれる。そして最後にトナー画像が定着された転写材は転写材排出口から排紙トレイ２０上へと排出される。
【００３７】
図２は、スタンドアローンとしてのカラーデジタル複写機１ではなく、カラーデジタル複写機１を核としたネットワークシステム構成を示した図である。
画像情報入力方法としては、カラーデジタル複写機１の画像読み取り部４から原稿情報入力するのみなず、ネットワーク接続されたパーソナルコンピュータ３２、デジタルカメラ３３、デジタルビデオカメラ３４、通信携帯端末３５などの外部機器からの画像情報入力に対応している。また、インターネットやイントラネットあるいは高成長する通信インフラを通じ、遠隔地より画像情報入力が可能となっている。従って、これらの画像情報を出力するカラーデジタル複写機はマルチファンクションプリンタとして、またネットワークプリンタとして重要な役割を果たすとともに、カラーデジタル複写機のもつ機能の他に、さらに利用する側から見て付加価値を持たせることができるシステム構成となっている。
【００３８】
次にカラーデジタル複写機に搭載されているカラー画像情報の画像処理部分の構成および機能を説明する。
図３は、カラーデジタル複写機１に含まれている画像処理部分のブロック図である。このカラーデジタル複写機１に含まれている画像処理部は、画像情報入力部４０、画像処理部４１、画像情報出力部４２、ハードディスク装置もしくはＲＡＭ（ランダムアクセスメモリ）等から構成される画像メモリ４３、中央処理装置（ＣＰＵ）４４、画像編集部４５、外部インターフェース部４６，４７、特定画像情報管理部４８から構成されている。
【００３９】
画像情報入力部４０は、３ラインのカラーＣＣＤ８にて読み取られたラインデータのライン画像レベルを補正するシェーディング補正回路４０ａ、３ラインのカラーＣＣＤ８にて読み取られた画像ラインデータのずれを補正するラインバッファなどのライン合わせ部４０ｂ、３ラインのカラーＣＣＤ８から出力される各色のラインデータの色データを補正するセンサ色補正部４０ｃ、各画素の信号の変化にめりはりを持たせるよう補正するＭＴＦ補正部４０ｄ、画像の明暗を補正して視感度補正を行うγ補正部４０ｅなどから成る。
【００４０】
画像処理部４１は、画像情報入力部４０から入力されるカラー画像信号であるＲＧＢ信号よりモノクロデータを生成するモノクロデータ生成部４１ａ（白黒原稿）、ＲＧＢ信号を記録装置の各記録部に対応したＹＭＣ信号に変換し又クロック変換する入力処理部４１ｂ、入力された画像データが文字部なのか網点写真なのか印画紙写真なのかをそれぞれを分離する領域分離部４１ｃ、入力処理部４１ａから出力されるＹＭＣ信号に基づいて下色除去処理を行い黒生成する黒生成部４１ｄ、各色変換テーブルに基づいてカラー画像信号の各色を調整する色補正回路４１ｅ、設定されている倍率に基づいて入力された画像情報を倍率変換するズーム処理回路４１ｆ、および空間フイルタ４１ｇ、多値誤差拡散や多値ディザなどの階調性を表現するための中間調処理部４１ｈなどから成っている。
【００４１】
画像メモリ４３は、４基のハードディスク（回転記憶媒体）４３ａ〜４３ｄ、遅延用バッファメモリ（半導体メモリ）４３ｅ、画像合成用メモリ（半導体メモリ）４３ｆからなる。中間調処理された各色画像データは、この画像メモリ４３に一旦貯えられる。
ハードディスク４３ａ〜４３ｄは、画像処理部４１からシリアル出力される８ビット４色（３２ビット）の画像データを順次受け取り、バッファに一時的に貯えながら３２ビットのデータから８ビット４色の画像データに変換して色毎の画像データとして記憶する。また、広告画像等の特定画像情報も該ハードディスク４３ａ〜４３ｄに記憶される。
また、画像合成用メモリ４３ｆでは、原稿画像と広告画像等の複数の画像の合成が行なわれる。各画像形成ステーションＰａ〜Ｐｄの位置が異なるため、画像メモリ４３の遅延用バッファメモリ４３ｅに各色画像データを一旦記憶させ、それぞれ時間をずらすことにより、各レーザスキャナユニット２７ａ〜２７ｄに画像データを送りタイミングを合わせ色ずれを防ぐ。
【００４２】
画像情報出力部４２は、中間調処理部４１ｈからの各色画像データに基づいてパルス幅変調を行うレーザコントロールユニット４２ａ、レーザコントロールユニット４２ａから出力される各色の画像信号に応じたパルス幅変調信号に基づいてレーザ記録を行う各色のレーザスキャナユニット２７ａ〜２７ｄからなる。
【００４３】
中央処理装置（ＣＰＵ）４４は、画像情報入力部４０、画像処理部４１、画像情報出力部４２、画像メモリ４３、さらに後述する画像編集部４５、外部インターフェース部４６，４７、特定画像情報管理部４８を所定のシーケンスに基づいてコントロールするものである。
【００４４】
画像編集部４５は、画像情報入力部４０、画像処理部４１、あるいは後述するインターフェースを経て一旦画像メモリ４３に記憶された画像データに対して所定の画像編集を施すためのものである。本発明の原稿画像と広告画像の合成処理もここで処理され、合成画像データの編集作業は、画像合成用メモリ４３ｆを用いて行われる。
【００４５】
さらにインターフェース４６は、カラーデジタル複写機１とは別に設けられた外部の画像入力処理装置（通信携帯端末、デジタルカメラ、デジタルビデオカメラ等）からの画像データを受け入れるための通信インターフェース手段である。なお、インターフェース４６から入力される画像データも、一旦画像処理部４１に入力して色空間補正などを行うことで、カラーデジタル複写機１の画像記録部１０で取扱うことのできるデータレベルに変換され、ハードディスク４３ａ〜４３ｄに記憶管理されることとなる。
【００４６】
インターフェース４７は、パーソナルコンピュータ２により作成された画像データを入力するプリンタインターフェースであり、またＦＡＸ受信した画像データを受け入れるための白黒またはカラーＦＡＸインターフェースである。このインターフェース４７から入力される画像データは、すでにＣＭＹＫ信号であり、一旦中間調処理４１ｈを施して画像メモリ４３のハードディスク４３ａ〜４３ｄに記憶管理されることとなる。この両インターフェースより入力された画像情報は原稿画像にもなり、広告画像にもなる。
【００４７】
特定画像情報管理部４８は、後述する管理情報に基づいて画像メモリ４３に記憶する特定画像情報を記憶管理するものである。場合によっては、この管理情報に基づいて合成する特定画像情報の選択判断を行ったりもする。
【００４８】
図４はデジタル複写機１の装置全体の各部を中央制御装置（ＣＰＵ）４４により動作管理を示すブロック図である。
画像データ入力部４０、画像処理部４１、画像メモリ４３、画像データ出力部４２、および中央処理装置（ＣＰＵ）４４の詳細については、図３にて説明した通りであって、重複する点については説明を省略する。
【００４９】
中央処理装置４４は、その他、ＲＡＤＦ、スキャナ部、レーザープリンタ部などデジタル複写機１を構成する各駆動機構部５０〜５３をシーケンス制御により管理すると共に、各部へ制御信号を出力している。さらに中央処理装置４４には、操作パネルからなる操作基板ユニット４９が相互通信可能な状態で接続されており、操作パネルの操作に応じて操作者が設定入力した複写モード内容を示す制御信号を中央処理装置４４に転送して、カラーデジタル複写機１全体が設定されたモードに応じて動作するように制御している。また、中央処理装置４４からはカラーデジタル複写機１の各種動作状態を示す制御信号を操作基板ユニット４９へと転送して、操作基板ユニット４９側では、この制御信号により装置が現在どのような状態にあるのか操作者に示すように表示部などにより動作状態を表示するようになっている。
【００５０】
図５は、カラーデジタル複写機における操作パネルを示す構成図である。
この操作パネル６０の中央部分には、タッチパネル液晶表示装置６１が配置されていて、その周囲に各種モード設定キー群が配置されている。このタッチパネル液晶表示装置６１の画面上には、常時画像編集機能を選択するための画面に切り換える画面切り換え指示エリアがあって、このエリアを指で直接押圧操作すると、各種画像編集機能が選択できるように、液晶画面上に各種編集機能が一覧表示される。その表示された各種編集機能の中から、操作者が所望する機能が表示されている領域を指で触れることにより編集機能が設定される。
【００５１】
次に、上記操作パネル６０上に配置された各種設定キー群について簡単に説明する。
６２は液晶表示装置６１の画面の明るさを調整するダイヤル、６３は倍率を自動的に選択させるモードの設定する倍率自動設定キー、６４は複写倍率を１％きざみで設定するためのズームキー、６５と６６は固定倍率を読み出して選択するための固定倍率キー、６７は複写倍率を標準倍率（等倍）に戻すための等倍キーである。
【００５２】
６８はコピー濃度調整を自動から手動または写真モードへと切り換えるための濃度切り換えキー、６９は手動モードまたは写真モードの時に濃度レベルを細かく設定するための濃度調整キー、７０はカラーデジタルの給紙部にセットされている用紙サイズの中から希望する用紙サイズを選択するためのトレイ選択キーである。
【００５３】
７１は複写枚数の設定するための枚数設定キー、７２は複写枚数をクリアしたり連続コピーを途中で止める時に操作するクリアキー、７３はコピーの開始を指示するためのスタートキー、７４は現在設定されているモードの全てを解除して標準状態に復帰させるため全解除キー、７５は連続コピー中に別の原稿に対するコピーを行いたい時に操作する割り込みキー、７６はカラーデジタルの操作が分からない時に操作することでカラーデジタルの操作方法をメッセージ表示するための操作ガイドキー、７７は操作ガイドキー７６の操作により表示されたメッセージの続きを表示させるためのメッセージ順送りキーである。７８は両面複写モードを設定するための両面モード設定キー、７９はカラーデジタルから排出される複写物を仕分けるための後処理装置の動作モードを設定するための後処理モード設定キーである。
【００５４】
８０〜８２はプリンタモード、ファクシミリモードに関する設定キーであり、８０は送信原稿を一旦メモリに蓄えてから送信するメモリ送信モードキー、８１はデジタルカラーデジタルのモードをコピー、ファックスまたはプリンタの間で切り換えるためのコピー／ファックス・プリンタモード切り換えキー、８２は送信先電話番号を予め記憶させておき送信時にワンタッチ操作で送信先に電話を発信させるためのワンタッチダイヤルキーである。
【００５５】
今回提示した操作パネル及びその操作パネル上に配置される各種キーは、あくまでも１実施例であり、カラーデジタル複写機に搭載される各種機能により操作パネル上に設けられるキーは異なってくることはいうまでもない。
【００５６】
図６は原稿画像情報と特定画像情報（広告画像等）を合成するカラーデジタル複写機の要部ブロック図である。
このカラーデジタル複写機は、画像入力情報手段１０１、特定画像情報メモリ１０２、特定画像情報管理部４８、画像編集部４５、第１の処理部１０３、第２の処理部１０４、画像情報合成部１０５、画像情報出力部４２、ＣＰＵ４４、操作パネル６０からなる構成である。ここで、広告画像情報とは、原稿画像情報とは異なり、広告という付加価値を有する特定画像情報である。
【００５７】
特定画像情報メモリ１０２とは、図３における画像メモリ４３のハードディスク４３ａ〜４３ｄ内の特定画像情報記憶領域を示す。第１の処理部１０３及び第２の処理部１０４は、図３における画像処理部４１で行われる処理部分である。画像情報合成部１０５は、図３における合成用メモリ４３ｆである。操作パネル６０は、タッチパネルを備えた液晶表示装置６１と、ＣＰＵ４４と液晶表示装置６１との間に介在する操作基板ユニット４９を有している。操作パネル６０は、図５に示すように、液晶表示装置６１以外にも操作スイッチを有しているが、図６では省略している。操作基板ユニット４９は、図４に示したように、ＣＰＵ４４からの制御信号に基づいて液晶表示装置６１に表示させると共に、液晶表示装置６１のタッチパネルにより入力された信号をＣＰＵ４４に伝送する役割を果たす。
【００５８】
画像情報入力手段１０１は、図２にも示したように、カラーデジタル複写機１自身のスキャナ部４と、ネットワーク接続されたパーソナルコンピュータ３２、デジタルカメラ３３、デジタルビデオカメラ３４、通信携帯端末３５などからの信号を入力する画像データ入力部４６，４７とからなる。この画像情報入力手段１０１により原稿画像情報１１１と広告画像情報１１０が入力される。広告画像情報１１０は、特定画像情報メモリ１０２、すなわち画像メモリ４３のハードディスク４３ａ〜４３ｄに記憶される。
【００５９】
画像編集部４５は、原稿画像情報１１１から特徴を抽出する原稿特徴抽出機能、広告画像情報から特徴を抽出する広告特徴抽出機能、原稿画像情報１１１の特徴情報に基づいて原稿画像情報に対する画像処理である第１の処理内容を確定する第１処理確定機能、広告画像情報１１２の特徴情報に基づいて広告画像情報１１２に対する画像処理である第２の処理内容を確定する第２処理確定機能、これら処理した画像情報の合成処理内容を確定する合成処理確定機能を有する。
ここで、特徴情報は、例えば、色情報、サイズ情報、文字配列（縦書き、横書き）、画像配置方向等である。
【００６０】
ここで、第１の処理とは、原稿画像情報の特徴を損なうことなく特徴情報に応じた画像処理であって、基本的に原稿の画像の色、形、大きさなどを大きく変化させることなく、原稿画像そのものが最初から有している特徴を忠実に再現することのできる処理である。例えば、原稿画像の大きさを全体的に所定の範囲内において縮小変倍することである。ここで縮小倍率があまりにも大きすぎると原稿画像情報の再現が問題となるので、原稿画像の特徴を損なわない処理ができる範囲内に納めている。
【００６１】
また、第２の処理とは、広告画像情報を所定の状態に特徴付ける画像処理であって、広告画像情報１１２と原稿画像情報１１１とが１つの画像に編集された場合に、それぞれの画像が明確になるように広告画像情報１１２に対して施されているものである。すなわち、広告画像情報１１２をカラー画像として再現するように処理を施したり、あるいは、広告画像情報に対して原稿画像情報側に境界線画像を付与する処理を施したり、さらには、広告画像情報の背景部分を特定パターン画像で塗りつぶしたりしている。これにより原稿画像情報が表現される形態とは異なる形で広告画像情報が表現されることとなる。
【００６２】
図７は、上記原稿画像と確定された広告画像の合成結果の一例を表したものである。原稿画像１２１と広告画像１２２は共にカラーであり、これらを合成した画像１２３は原稿コピー１２１ａと広告コピー１２２ａからなる。この合成画像は、上記処理により、特定画像情報（広告画像等）をカラー画像として再現するようにしたり、あるいは、特定画像情報（広告画像等）に対して原稿画像情報側に境界線画像を付与したり、さらには、特定画像情報（広告画像等）の背景部分を特定パターン画像で塗りつぶしたりしている。画像編集部４５は、以上のような原稿画像あるいは特定画像情報（広告画像）に対する処理をそれぞれの画像の特徴に合わせて確定し、処理させている。
【００６３】
さて、このデジタル複写機１は、操作パネル６０に操作指示画像を表示して、利用者に広告料金や広告画像のサイズ等の選択をさせ、原稿画像と合成して出力する。この処理について以下の実施形態において詳しく説明する。
【００６４】
（１）  料金設定方式
以下に示す第１実施形態〜第４実施形態は、利用者が料金を設定することにより、これに見合った広告画像の合成条件を確定して処理を行う方式である。
【００６５】
＜第１実施形態＞
図８及び図９は、デジタル複写機のＣＰＵ４４の広告合成処理における第１実施形態を示すフローチャートである。特に図８は全体のフローチャートであり、図９は画像処理のフローチャートである。図１０〜図１６には、このフローチャートにおける液晶表示装置の画面遷移を示す。
【００６６】
ＣＰＵ４４は、図１０に示すように、操作パネル６０の液晶表示装置６１に広告のジャンル選択画像（初期画面）を表示させる（ステップＳ１）。この画面では、利用者が、カラーデジタル複写機１に隣接して配置されたコインベンダー（図示せず）に投入すべきコピー料金が液晶表示装置６１に表示されるとともに、利用者にコインベンダーに料金を投入することを知らせる。記録材サイズ毎のコピー料金１６４に基づいて適切なコピー料金が投入されると、カラーデジタル複写機１は、通常のコピーモードとなってカラーコピーが取れる状態となる。
なお、通常のコピー料金体系１６４は、ここでは液晶画面内に表示しているが、料金体系表を見易いところに貼っておいてもよい。
【００６７】
さて、液晶表示画面には、初期画面である広告のジャンルである「広告付きコピー」選択エリアが表示される。すなわち電気製品情報選択エリア１６１、お買得情報選択エリア１６２、賃貸住宅情報選択エリア１６３が設けられ、コピーを取る人の好みで選択可能としている。カラー広告付きコピーモードを選択すると、カラーコピー料金が通常よりも安くなることをコピー料金体系１６４によりメッセージで表示している。ただし、特殊なサービスとして特別な情報、付加価値の高い情報を提供する場合、料金が逆に高くなることもある。又この画面では、原稿画像が通常よりも多少縮小されてしまうことのメッセージを出して、利用者に注意を促している。
【００６８】
図１１は、例えば「電気製品広告」選択エリア１６１を指で直接押圧操作した場合の表示画面である。「電気製品広告」選択エリア１６１は反転表示されて、モードが選択されていることが利用者に分かりやすくするような表示状態となって、図１２に画面は移る。
【００６９】
図１２に示すように、「電気製品広告」のジャンルをさらに細分類化した項目の選択エリア１６１ａが表示される。また、「戻る」選択エリア１６６を指で押圧すれば、広告付きコピーモードが解除され、初期画面（図１０）に戻る事ができる。次に「複写機」の選択エリア１６７を指で押圧操作すると、「複写機」選択エリア１６７は、選択されていることが利用者に分かりやすくするように反転表示される。こうして、利用者によって広告ジャンルが設定される。
【００７０】
ＣＰＵ４４は、広告ジャンルの設定を確認して（ステップＳ２）、図１３の広告付きコピー料金設定画面を表示する（ステップＳ３）。まずＣＰＵ４４は、あらかじめ設定された標準のカラー広告付きコピー料金を設定し（ステップＳ４）、画面には標準のカラー広告付きコピー料金１６５ａが表示される。またコピー料金に応じて確定された広告画像占有領域の原稿画像占有領域に対する比率が数字で表示される比率表示１７２と、視覚的に比率が判るように用紙に対する広告画像領域表示１７３が画面に表示される（ステップＳ５）。
【００７１】
次に、利用者がこの料金に満足しなければ料金確定をしないで、画面中央の「アップ」「ダウン」選択エリア１７４のタッチパネル部分を押圧操作することにより、広告付きコピー料金を自由に変更設定する（ステップＳ６→ステップＳ４）。この「アップ」「ダウン」選択エリア１７４の押圧操作に伴って、広告付きコピー料金表示１６５ａは随時変更される。またこの料金変化に伴って、ＣＰＵ４４が、そのコピー料金に応じた広告画像占有領域の原稿画像占有領域に対する比率を算出し、図１４に示すように、比率表示１７２、広告画像領域表示１７３も随時変更される（ステップＳ５）。
【００７２】
次に、コピー利用者は、画面上の広告画像占有領域表示１７２、広告画像領域表示１７３を見て、その料金と広告付きコピーの価値（原稿が縮小されることによるマイナス要因、原稿画像情報とは異なる新たな情報が得られるプラス要因）を天秤にかけて、もしそのコピー料金で良いと判断すれば、「確定」選択エリア１７１を押圧操作して、確定する（ステップＳ６）。
【００７３】
このように、選択されたコピー料金に応じて記録材上における広告画像占有領域が確定されると共に、その確定された領域の変化が分かるように比率表示されるので、コピー利用者は操作パネル上の液晶表示画面を見るだけで、広告画像占有領域と原稿画像占有領域の比率関係が即座にわかり、そのコピー料金とコピーの価値（原稿が縮小されることによるマイナス要因、原稿画像情報とは異なる新たな情報が得られるプラス要因）を天秤にかけて、コピー利用者自身が最適と思われる広告画像の占有領域をすばやく決定できる。
【００７４】
コピー料金が確定されると、次に特定画像情報管理部４８は、すでに選択操作された「複写機」の分類情報と確定されたコピー料金に基づいて、特定画像情報メモリ１０２に記憶されている特定画像情報群（広告画像等）１１０の中から特定画像情報（広告画像等）１１２を抽出する。図１５に示すように、この抽出された特定画像情報は、コピー利用者の確認を得るため縮小された広告サンプル画像としてのタッチパネル付き液晶表示装置６１に表示される（ステップＳ７）。
【００７５】
もしコピー利用者が広告画像サンプル表示を見て気に入らなければ、画面表示の下部の「ｎｅｘｔ」選択エリア１７０を押圧操作することにより「複写機」分類の中から他の広告画像が選択され表示される。コピー利用者は、広告画像表示を見て、もし前の広告画像が良かったと判断すれば「ｂａｃｋ」選択エリア１７０を押すことによりひとつ前の画面に戻ることができる。また、もしこれで良いと判断すれば「確定」選択エリア１７１を押圧操作することにより広告画像は確定される（ステップＳ８）。
【００７６】
図１６に示す次の画面では、確定された広告付きコピー料金と確定された広告画像が表示され、「お金を入れて下さい」というメッセージが表示される。カラーデジタル複写機１に隣接して配置されたコインベンダー（図示せず）に、表示されているコピー料金１６５ｂに基づいて適切なコピー料金が投入されると（ステップＳ９）、広告付きコピーモードとなってカラーコピー状態となり、画像処理が始まる（ステップＳ１０）。お金を入れる前にもし利用者の気が変わったとしても、「初期画面」選択エリア１６６を指で押せば初期画面（図１０）に戻ることができる。
【００７７】
ステップＳ１０の内容について図９のフローチャートに基づいて説明する。特定画像情報所定の原稿画像の読み取り開始指示（スタートキー７３押圧）が行われると、カラーデジタル複写機１の所定の位置にセットされた原稿の画像が読み取られる（ステップＳ２１）。特定画像情報管理部４８は、確定された広告画像情報１１２を、特定画像情報メモリ１０２から読み出す（ステップＳ２２）。画像編集部４５には、原稿画像情報１１１と選択された広告画像情報１１２が入力され、それぞれ特徴情報が抽出される。これら特徴情報に基づいて、設定料金に応じた第１の処理及び第２の処理を確定する。この場合、広告画像占有領域のサイズに広告画像サイズがぴったりと合うことは少ない。そこで、ＣＰＵ４４が、確定した広告画像の占有領域に対応する広告画像の変倍率を演算する（ステップＳ２３）。
【００７８】
この変倍率があらかじめ設定された変倍率範囲に入っているかどうかを確認する（ステップＳ２４）。各広告画像毎に変倍率範囲があらかじめ設定され記憶管理されている。この変倍率範囲の下限は、広告画像の縮小により広告画像が読めなくなったり、広告画像品質が悪くなったり、広告としての価値がなくなってしまう限界値が設定され、又変倍率範囲の上限は広告画像の拡大により記録材からはみ出さない限界値が設定されている。もし演算された変倍率が、その広告画像にあらかじめ設定された変倍率範囲に入っていない場合は広告画像の検索・選定のやり直しが行われる（ステップＳ７に戻る）。
【００７９】
範囲内であれば、図１７（ａ）の広告画像を同図（ｂ）のように変倍処理し（ステップ２５）、更に同図（ｃ）のようにセンタリングを行う（ステップＳ２６）。こうして、原稿画像と広告画像を合成処理する（ステップＳ２７）。
【００８０】
こうして、画像編集部４５から第１の処理内容及び第２の処理内容が画像処理部４１に入力され、この処理内容に通りに画像処理部４１である第１の処理部１０３及び第２の処理部１０４で処理が行われる。また、合成処理内容に基づいて、画像情報合成部１０５である合成用メモリ４３ｆに各画像を配置合成する。この合成処理内容に基づいて画像情報出力部４２により、用紙に画像が記録される（ステップＳ１１）。
【００８１】
また広告を確定する他の例として、確定された広告画像占有領域サイズ情報とタッチパネル付き液晶表示装置６１で選択操作されたジャンル情報に基づいて特定画像情報メモリに記憶されている広告画像群を検索し、その中から適合する広告画像群を選択し、さらに各広告画像毎に変倍率を演算し、各広告画像毎に設定されている変倍率範囲に入っている広告画像を絞り込む。これらの広告画像をタッチパネル付き液晶表示装置６に表示させ、コピー利用者にその中から選んでもらうことにより広告画像を確定してもよい。
【００８２】
＜第２実施形態＞
図１８は、デジタル複写機のＣＰＵ４４の広告合成処理における第２実施形態を示すフローチャートである。図１９〜２１は、このフローチャートにおける液晶表示装置の画面遷移を示す。
図１９は、動作可能な状態で待機している時の初期画面である。カラーデジタル複写機１に隣接して配置されたコインベンダー（図示せず）に投入すべきコピー料金１６４が液晶表示装置６１に表示されるとともに、利用者にコインベンダーに料金を投入することを知らせる。記録材サイズ毎のコピー料金１６４に基づいて適切なコピー料金が投入されると、カラーデジタル複写機１は、通常のコピーモードとなってカラーコピーが取れる状態となる。
なお、通常のカラーコピー料金体系１６４は、ここでは液晶画面内に表示しているが、料金体系表を見易いところに貼っておいてもよい。
【００８３】
液晶表示画面には、広告付きコピー料金をあらかじめいくつか設定し、それに対応する広告付きコピー料金が表示されている（ステップＳ３１）。例えば、「××円」「○○円」「△△円」の各選択エリア１７５ａ〜１７５ｃが表示されており、これらのいずれかの金額を押圧操作することによって、広告付きコピー料金が設定される（ステップＳ３２）。この設定料金に基づいてＣＰＵ４４は、次の操作画面である図１９のように、この広告付きコピー料金と記録材サイズに応じて広告画像占有領域を算出し、その選択エリア１７６ａ〜１７６ｄが表示される（ステップＳ３３）。すなわち料金が同じであれば、記録材サイズ毎（例えば、Ａ３，Ａ４，Ｂ４，Ｂ５）に、広告画像占有領域が異なってくる。
【００８４】
このように、選択されたコピー料金から記録材サイズ毎の記録材上における広告画像占有領域を確定すると共に、その確定された結果を表示するので、コピー利用者は原稿に応じて、その料金と広告付きコピーの価値（原稿が縮小されることによるマイナス要因、原稿画像情報とは異なる新たな情報が得られるプラス要因）を天秤にかけて、多くの料金と記録材サイズの選択肢の中から最適なものを選ぶことができる。
【００８５】
さらに、選択された料金ではカラーコピー記録ができない記録材サイズＡ３の場合は、Ａ３サイズの選択エリア１７６ａにおいて、「料金が足りません。」というメッセージを出し、かつ、他の選択エリアとは異なる表示を行って注意を促すと共に、万一押圧操作されても受け付けない設定にしている。こうして記録させたい記録材のサイズが料金不足等により記録不可の場合、液晶表示画面を見るだけで即座に判り、コピー料金を増やす等のスムーズな対応がはかれる。
【００８６】
また、図２０のように、供給不可能な状態（例えば用紙切れ）の記録材サイズＢ５に関しては、Ｂ５サイズの選択エリア１７６ｄにおいて、選択された広告付きコピー料金に応じた広告画像占有領域の表示を行うと共に、図２１に示すように、「用紙がありません。」と言うメッセージを出す。さらに、他の選択エリアとは異なる表示を行って注意を促すと共に、万一押圧操作されても受け付けない設定にしている。こうして記録させたい記録材のサイズが供給不可能な状態の場合、液晶表示画面を見るだけで即座に判り、記録材を補充する等のスムーズな対応がはかれる。
【００８７】
利用者は、記録材サイズ、広告占有領域を検討して、所望の選択エリアを押すことにより、料金、記録材サイズ及び広告占有領域を確定する（ステップＳ３４）。以下ステップＳ３５〜Ｓ３９は、図８のステップＳ７〜Ｓ１１と同じ処理を行う。
【００８８】
＜第３実施形態＞
デジタル複写機のＣＰＵ４４の広告合成処理における第３実施形態について次に説明する。第３実施形態の処理は、基本的に図８のフローチャートと同じであるが、コピー料金設定のステップＳ３〜Ｓ６に特徴がある。他の部分の処理は、第１実施形態と同じであるので、説明は省略する。
図２２は、ステップＳ３における広告付きコピー料金の設定画面である。第１実施形態において説明した図１２に引き続いて、図２２及び図２３の広告付きコピー料金設定画面が表示される。
【００８９】
図２２に示すように、画面には、あらかじめ設定された標準数（例えば、広告数１）のカラー広告付きコピー料金１６５ａが表示される。またコピー料金に応じてＣＰＵ４４が、広告画像占有領域の原稿画像占有領域に対する比率を算出し比率表示１７２として表示し、視覚的に比率が判るように用紙に対する広告画像領域表示１７３もなされる（ステップＳ５）。
【００９０】
次に画面中央の「アップ」「ダウン」選択エリア１７４の押圧操作により広告付きコピー料金は自由に変更設定が可能である。この「アップ」「ダウン」選択エリア１７４の押圧操作に伴って、広告付きコピー料金表示１６５ｂは随時変更される。またこの料金変化に伴って、そのコピー料金に応じた広告数と広告画像占有領域の原稿画像占有領域に対する比率が確定され、比率表示１７２、広告画像領域表示１７３も随時変更される。広告数を２とした場合の画面表示を図２２に示す。
【００９１】
次にコピー利用者は、画面上の広告数と比率表示１７２、広告画像領域表示１７３を見て、その料金と広告付きコピーの価値（原稿が縮小されることによるマイナス要因、原稿画像情報とは異なる新たな情報が得られるプラス要因）を天秤にかけて、もしそのコピー料金で良いと判断すれば、「確定」選択エリア１７１を押圧操作する（ステップＳ６）。
【００９２】
このように、選択されたコピー料金に応じて記録材上における広告画像数が確定されるので、コピー利用者は原稿に応じて、その料金と広告付きコピーの価値（原稿が縮小されることによるマイナス要因、原稿画像情報とは異なる新たな情報が得られるプラス要因）を天秤にかけて、多くの料金選択肢の中から最適なものを選ぶことができる。
【００９３】
＜第４実施形態＞
デジタル複写機のＣＰＵ４４の広告合成処理における第４実施形態について次に説明する。第４実施形態は、図１８におけるコピー料金設定のステップＳ３〜Ｓ６に特徴がある。他の部分の処理は、第２実施形態と同じであるので、説明は省略する。
【００９４】
図１９の初期画面において、「××円」「○○円」「△△円」の各選択エリア１７５ａ〜１７５ｃが表示されており、これらのいずれかの金額を押圧操作することによって、広告付きコピー料金が設定される（ステップＳ３２）。次の操作画面として図２４のように、この広告付きコピー料金と記録材サイズに応じてＣＰＵ４４が広告画像数を確定し、選択エリア１７６ａ〜１７６ｄとして表示される（ステップＳ３３）。すなわち料金が同じであれば記録材サイズ毎に広告画像数が異なってくる。
【００９５】
このように、選択されたコピー料金に応じて記録材上における広告画像数が確定されると共に、その確定された領域の変化が分かるように広告数と領域比率が表示されるので、コピー利用者は操作パネル上の液晶表示画面を見るだけで、広告数とさらに広告画像占有領域と原稿画像占有領域の比率関係が即座にわかり、そのコピー料金とコピーの価値（原稿が縮小されることによるマイナス要因、原稿画像情報とは異なる新たな情報が得られるプラス要因）を天秤にかけて、コピー利用者自身が最適と思われる広告画像の占有領域をすばやく決定できる。
【００９６】
さらに選択された料金ではカラーコピー記録できない記録材サイズＡ３の場合は、Ａ３サイズの選択エリア１７６ａのように、「料金が足りません。」というメッセージを出す。そして、他の選択エリアとは異なる表示を行って注意を促すと共に、万一押圧操作されても受け付けない設定にしている。
【００９７】
（２）  合成条件設定方式
以下に示す第５実施形態〜第１１実施形態は、利用者が広告占有領域等の合成条件を設定することにより、料金が算出確定して処理を行う方式である。
【００９８】
＜第５実施形態＞
図２５は、ＣＰＵ４４の広告合成処理の第５実施形態を示すフローチャートである。図２６〜２８に、このフローチャートにおける液晶表示装置の画面遷移を示す。
さて、ＣＰＵ４４は、第１実施形態と同様に、図１０〜図１２に示したように、操作パネル６０の液晶表示装置６１に広告のジャンル選択画像（初期画面）を表示させ（ステップＳ４１）、利用者は、この画面から好みのジャンルを選択設定する（ステップＳ４２）。次にＣＰＵ４４は、操作パネル６０の液晶表示装置６１に、図２６に示すような広告条件設定画面を表示する（ステップＳ４３）。タッチパネル付き液晶表示装置６１で選択操作された「複写機」の分類情報が、操作基板ユニット４９、ＣＰＵ４４を通って特定画像情報管理部４８に入力され、特定画像情報管理部４８は特定画像情報メモリ１０２に記憶されている特定画像情報群（広告画像等）１１０の中からひとつの特定画像情報（広告画像情報）１１２を選択抽出する（ステップＳ４４）。そして、広告画像情報１１２が画像編集部４５、ＣＰＵ４４を通って、操作基板ユニット４９に入力され、利用者の確認を得るため、図２６のように、タッチパネル付き液晶表示装置６１に表示される。特定画像情報管理部４８は各広告画像毎にその画像サイズと記録材サイズに応じた、すなわち広告画像占有領域比率に応じた料金体系を記憶管理している。従って、この料金体系に従ってＣＰＵ４４が料金を算出する（ステップＳ４５）。
【００９９】
図２６には、広告画像の概要が分かるように縮小された広告サンプル画像が表示され、また安くなった「広告付きコピー料金」１６５ａも合わせて表示される。広告付きコピー料金１６５ａはカラーコピーと白黒コピーとで料金は異なり、また記録材のサイズに応じても料金は異なる。もし、コピー利用者が広告画像サンプル表示を見て気に入らなければ、画面表示の下部の「ｎｅｘｔ」選択エリア１７０を押圧操作することにより「複写機」分類の中から他の広告画像が選択され（ステップＳ４６）、ステップＳ４４に戻り、図２７のように表示される。この例の場合、先程の広告画像占有領域とサイズが異なっており、「広告付きコピー料金」表示１６５ｂも広告画像占有領域に応じた広告付きコピー料金に変わる（ステップＳ４５）。
【０１００】
コピー利用者は、広告画像表示を見て、その料金と広告付きコピーの価値（原稿が縮小されることによるマイナス要因、原稿画像情報とは異なる新たな情報が得られるプラス要因）を天秤にかけて、広告を設定できる（ステップＳ４６）。もし前の広告画像が良かったと判断すれば「ｂａｃｋ」選択エリア１７０を押すことによりひとつ前の画面に戻ることができる。また、もしこれで良いと判断すれば「確定」選択エリア１７１を押圧操作することにより広告画像は確定される（ステップＳ４７）。図２８には確定された広告画像と広告付きコピー料金が表示され、「お金を入れて下さい」というメッセージが表示される。カラーデジタル複写機１に隣接して配置されたコインベンダー（図示せず）に、表示されているコピー料金１６５ｂに基づいて適切なコピー料金が投入されると（ステップＳ４８）、広告付きコピーモードとなってカラーコピーあるいは白黒コピーが取れる状態となる。お金を入れる前にもし利用者の気が変わったとしても、「初期画面」選択エリア１６６を指で押せば初期画面（図１０）に戻る事ができる。
【０１０１】
ＣＰＵ４４が、広告が確定した場合、料金投入が行われたかを確認し（ステップＳ４８）、行われた場合、ＣＰＵ４４から画像情報編集部４５と特定画像情報管理部４８に広告情報が入力され、画像処理が行われ（ステップＳ４９）、画像出力が行われる（ステップＳ５０）。
【０１０２】
こうして、画像が記録される記録材上における広告画像の占有領域に応じて、料金が確定されるので、コピー利用者は原稿に応じて、その料金と広告付きコピーの価値（原稿が縮小されることによるマイナス要因、原稿画像情報とは異なる新たな情報が得られるプラス要因）を天秤にかけて、多くの選択肢の中から最適なものを選ぶことができる。例えば、料金を最優先にして選ぶこともでき、あるいは原稿画像優先にして余白部分にのみ広告画像を入れる程度の事もでき、選択肢が非常に多くなるため広告付きコピーの利用率のアップにつながる。しかも、記録材上における広告画像占有領域の設定操作において、占有領域が変化すると同時に、料金表示も広告画像占有領域に応じて随時変化するので、コピー利用者は広告画像占有領域と料金の関係が操作パネル上の表示装置を見るだけで、即座にわかり、その料金とコピーの価値（原稿が縮小されることによるマイナス要因、原稿画像情報とは異なる新たな情報が得られるプラス要因）を天秤にかけて、コピー利用者自身が最適と思われる広告画像の占有領域をすばやく決定する事ができる。
【０１０３】
＜第６実施形態＞
図２９は、ＣＰＵ４４の広告合成処理の第６実施形態を示すフローチャートである。第６実施形態も、第５実施形態と同様に、合成広告画像の条件設定に応じて料金を算出し、これらを利用者が考慮して諸条件を確定する処理を行う。但し、メモリから読み出した広告画像をそのまま使用するのではなく、サイズ等の広告条件を設定して、料金を算出する処理を行う。
【０１０４】
第１実施形態と同様に、図１０の初期画面において、「広告付きコピー」選択エリア１６１〜１６３のいずれかのジャンルが選択されると（ステップＳ５１、Ｓ５２）、図３０の広告条件設定画面が表示される（ステップＳ５３）。あらかじめ設定された標準の広告画像占有領域と原稿画像占有領域との比率が数字で表示される比率表示１７２と共に、視覚的に比率が判るように用紙に対する広告画像領域表示１７３がなされる。ＣＰＵ４４は、記録材サイズとその広告画像占有領域に応じた広告付きコピー料金１６５ｃを算出し、液晶表示装置の画面に表示する。
【０１０５】
次に、利用者が、画面中央の「アップ」「ダウン」選択エリア１７４の押圧操作により広告画像占有領域は自由に変更設定が可能である。この「アップ」「ダウン」選択エリア１７４の押圧操作に伴って、広告画像占有領域と原稿画像占有領域の比率表示１７２及び広告画像領域表示１７３も随時変更される（ステップＳ５４）。
【０１０６】
「ダウン」選択エリア１７４を押圧操作し続けると、図３１の表示画面があらわれる。広告画像占有領域をこれ以上小さくすると、広告画像が読めなくなったり、広告画像品質が悪くなったり、広告としての価値がなくなってしまう限界値があらかじめ設定されている。このため、利用者が、「ダウン」選択エリア１７４を押し続けても、ＣＰＵ４４は限界値を越えるものとして（ステップＳ５５）、限界値以上は広告画像占有領域を小さくさせない（ステップＳ５６）。この限界値に至ると、表示画面には「広告サイズはこれ以上縮小できません」と言うメッセージ表示と共に、広告画像占有領域と原稿画像占有領域の比率表示１７２及び広告画像領域表示１７３にも最小値ＭＩＮの表示がなされる。また、この最小広告画像占有領域に応じた広告付きコピー料金１６５ｄがＣＰＵ４４により算出され、液晶表示装置の画面に表示される（ステップＳ５７）。
【０１０７】
また、「アップ」選択エリア７４を押圧操作し続けると、図３２の表示画面があらわれる。今後はこれ以上広告画像占有領域を大きくすると、原稿画像占有領域が小さくなってしまい原稿画像が読めなくなったり、原稿画像品質が著しく劣ってしまう限界値があらかじめ設定されている。従って、利用者が「アップ」選択エリア７４を押し続けても、ＣＰＵ４４は、限界値を越えるものとして（ステップＳ５５）、これ以上広告画像占有領域を拡大させない（ステップＳ５６）。この限界値に至ると表示画面には「広告サイズはこれ以上拡大できません」と言うメッセージ表示と共に、広告画像占有領域と原稿画像占有領域の比率表示１７２、広告画像領域表示１７３にも最大値ＭＡＸの表示がなされている（ステップＳ５６）。また、ＣＰＵ４４は、この最大広告画像占有領域に応じた広告付きコピー料金１６５ｅを算出し表示する（ステップＳ５７）。ステップＳ５８において、利用者が広告条件を確定するとステップＳ５９に進む。ステップＳ５９〜Ｓ６３は、図８のステップＳ７〜Ｓ１１と同じなので説明は省略する。
【０１０８】
記録材上における広告画像占有領域の設定操作において、占有領域が変化すると同時に、その領域変化が分かるように比率表示も変化するので、コピー利用者は操作パネル上の表示装置を見るだけで、広告画像占有領域と原稿画像占有領域の比率関係が即座にわかり、その料金とコピーの価値（原稿が縮小されることによるマイナス要因、原稿画像情報とは異なる新たな情報が得られるプラス要因）を天秤にかけて、コピー利用者自身が最適と思われる広告画像の占有領域をすばやく決定できる。
【０１０９】
＜第７実施形態＞
図３３は、ＣＰＵ４４の広告合成処理の第７実施形態を示すフローチャートである。図３４は、コンビニエンスストア等に設置されるコピーサービス店向けの操作画面の初期画面である。この初期画面が表示されると（ステップＳ７１）、広告画像占有領域と原稿画像占有領域の比率をあらかじめいくつか設定し、それに対応する選択エリア１７５ａ〜１７５ｄが表示されている。例えば「広告比率０．１」１７５ａ、「広告比率０．２」１７５ｂ、「広告比率０．３」１７５ｃ、「広告比率０．４」１７５ｄの各選択エリアが表示されており、これらのいずれかを押圧操作することによって、広告画像占有領域が設定される（ステップＳ７２）。この広告画像占有領域に応じて、ＣＰＵ４４が広告付きコピー料金を算出し、液晶表示装置に表示する（ステップＳ７３）。ステップＳ７４において、利用者が広告条件を確定するとステップＳ７５に進む。この後のステップＳ７５〜Ｓ７９は、図８のステップＳ７〜Ｓ１１と同様なので、説明は省略する。
【０１１０】
このように、画像が記録される記録材上における広告画像の占有領域を複数同時に段階的に表示することが可能である。従って、利用者は、各段階の広告画像の占有領域を同時に確認でき、更にこの設定された広告画像の占有領域に応じて料金も変化するので、コピー利用者は原稿に応じて、各段階の料金とコピーの価値を比較しやく、コピー利用者自身が最適と思われる広告画像の占有領域を自らの意志で自由に決定することができる。
【０１１１】
＜第８実施形態＞
デジタル複写機のＣＰＵ４４の広告合成処理における第８実施形態について次に説明する。第８実施形態は、図３３のフローチャートにしたがって処理が行われる。図３５は、図３３のステップＳ７１におけるコンビニエンスストア等に設置されるコピーサービス店向けの操作画面の初期画面である。広告画像数をあらかじめいくつか設定し、それに対応する選択エリア１７６ａ〜１７６ｄが表示されている。例えば「広告数１」１７６ａ、「広告数２」１７６ｂ、「広告数３」１７６ｃ、「広告数４」１７６ｄの各選択エリアが表示されており、これらのいずれかを押圧操作することによって、広告画像占有領域が設定され、この広告画像占有領域に応じて広告付きコピー料金が確定され表示される。
【０１１２】
画像が記録される記録材上における広告画像の数を設定することが可能であり、この設定された広告画像の数により占有される広告画像の領域に応じて料金が確定されるので、コピー利用者は原稿に応じて、その料金とコピーの価値（原稿が縮小されることによるマイナス要因、原稿画像情報とは異なる新たな情報が得られるプラス要因）を天秤にかけて、コピー利用者自身が自らの意志で最適と思われる広告画像数より広告画像の占有領域を決定することができる。
【０１１３】
＜第９実施形態＞
デジタル複写機のＣＰＵ４４の広告合成処理における第９実施形態について次に説明する。第９実施形態は、図２９のフローチャートにしたがって処理が行われる。図３６は第９実施形態を示す広告条件設定画面である。これは図１０の初期画面において「広告付きコピー」選択エリア１６１〜１６３のいずれかのジャンルが選択されると表示される（ステップＳ５２）。あらかじめ設定された標準の広告画像数と広告画像占有領域と原稿画像占有領域との比率が数字で表示される比率表示１７２と共に、視覚的に広告画像数と比率が判るように用紙に対する広告画像領域表示１７３がなされる。さらに、記録材サイズとその広告画像占有領域に応じた広告付きコピー料金１６５ｆが表示される（ステップＳ５７）。ここまでは第５実施形態と同じである。
【０１１４】
次に画面中央の「アップ」「ダウン」選択エリア７４の押圧操作により広告画像占有領域は自由に変更設定が可能である。この「アップ」「ダウン」選択エリア１７４の押圧操作に伴い、広告画像数が変わり、広告画像の数に応じて広告画像占有領域と原稿画像占有領域の比率表示１７２及び広告画像領域表示１７３も随時変更される。また広告画像占有領域の変化に応じて広告付きコピー料金表示１６５ｆも随時変更される。
【０１１５】
記録材上における広告画像占有領域の設定操作において、占有領域が変化すると同時に、広告数と比率表示も変化するので、コピー利用者は操作パネル上の表示装置を見るだけで、広告画像占有領域と原稿画像占有領域の比率関係が即座にわかり、その料金とコピーの価値（原稿が縮小されることによるマイナス要因、原稿画像情報とは異なる新たな情報が得られるプラス要因）を天秤にかけて、コピー利用者自身が最適と思われる広告画像の占有領域と広告数をすばやく決定できる。
【０１１６】
また、広告数の上限と下限はあらかじめ設定されており、これにより広告画像占有領域の範囲が決定されている。従って広告画像占有領域が小さすぎて広告画像品質が劣化することも無く、また広告画像占有領域が大きすぎて、原稿占有領域が圧迫され原稿画像が劣化することも無く、品質の良い広告付きコピーが得られる。
【０１１７】
＜第１０実施形態＞
デジタル複写機のＣＰＵ４４の広告合成処理における第１０実施形態について次に説明する。図３７は、第１０実施形態のフローチャートであり、図３８は第１０実施形態を示す広告条件設定画面である。今まで説明してきた方法はすべて広告画像占有領域を先に決定する方法であった。しかしここで説明する方法は原稿占有領域を優先して先に決定し、余った領域が広告画像占有領域に当てる方法である。
【０１１８】
さて、ＣＰＵ４４は、第１実施形態と同様に、図１０〜図１２に示したように、操作パネル６０の液晶表示装置６１に広告のジャンル選択画像（初期画面）を表示させ（ステップＳ８１）、利用者は、この画面から好みのジャンルを選択設定する（ステップＳ８２）。次にＣＰＵ４４は、操作パネル６０の液晶表示装置６１に、図３８に示すような原稿倍率設定画面を表示する（ステップＳ８３）。
【０１１９】
すなわち、図３８に示したように、あらかじめ設定された標準の原稿倍率が数字で表示される１７２と共に、視覚的に原稿画像占有領域と広告画像占有領域との比率が判るように両者の領域表示１７３がなされる。さらに、記録材サイズとその広告画像占有領域に応じた広告付きコピー料金１６５ｇが表示される。次に画面中央の「アップ」「ダウン」選択エリア１７４の押圧操作により原稿画像占有領域は自由に変更設定が可能である。この「アップ」「ダウン」選択エリア１７４の押圧操作に伴い、原稿倍率表示１７２も広告画像占有領域と原稿画像占有領域の比率表示１７３も随時変更される。また広告画像占有領域の変化に応じて広告付きコピー料金表示１６５ｇも随時変更される（ステップＳ８４）。
【０１２０】
また第６実施形態と同様に、原稿倍率の上限と下限はあらかじめ設定されており、これにより広告画像占有領域の範囲が決定されている。従って、ＣＰＵ４４は、条件の限界値以内か否かを判断し（ステップＳ８５）、限界値以内であれば、料金を算出する（ステップＳ８７）。限界値を越えるような設定を行っても、限界値で設定する（ステップＳ８６）。そして、その限界値で料金を算出する。ステップＳ８８において、利用者が広告条件を確定するとステップＳ８９に進む。ステップＳ８９〜Ｓ９３は、図８のステップＳ７〜Ｓ１１と同じであるので、説明は省略する。
【０１２１】
このように原稿占有領域を設定することにより広告画像占有領域を設定する。上限値、下限値を設定することにより、広告画像占有領域が小さすぎて広告画像品質が劣化することも無く、また広告画像占有領域が大きすぎて、原稿占有領域が圧迫され原稿画像が劣化することも無く、品質の良い広告付きコピーが得られる。
【０１２２】
＜第１１実施形態＞
デジタル複写機のＣＰＵ４４の広告合成処理における第１１実施形態について次に説明する。図３９は、ＣＰＵ４４の広告合成処理の第１１実施形態を示すフローチャートである。図４０〜４２は、コンビニエンスストア等に設置されるコピーサービス店向けの操作画面の画面遷移を示す。図１０の初期画面において「広告付きコピー」選択エリア１６１〜１６３のいずれかのジャンルが選択されると（ステップＳ１０１及びＳ１０２）、図４０が表示される。この表示は第６実施形態で説明した広告画像占有領域を設定する方法の図３０と同じである。すなわち、あらかじめ設定された標準の広告画像占有領域と原稿画像占有領域との比率が数字で表示される比率表示１７２と共に、視覚的に比率が判るように用紙に対する広告画像領域表示１７３がなされる。さらに、記録材サイズとその広告画像占有領域に応じた広告付きコピー料金１６５ｈが表示される。ただ広告数１の表示がされている点が異なる。
【０１２３】
次に画面中央の「アップ」「ダウン」選択エリア１７４の押圧操作により広告画像占有領域は自由に変更設定が可能である。この「アップ」選択エリア１７４の押圧操作に伴って、あらかじめ設定された広告占有領域を超えると（ステップＳ１０５）、広告数が２に変わり（ステップＳ１０６）、図４１のような表示に変わる。さらに「アップ」選択エリア１７４の押圧操作を続けると、所定の広告占有領域を超え広告数は３となる。この変化に伴って広告数と比率表示１７２、広告画像領域表示１７３も随時変更される。また広告画像占有領域の変更に応じて広告付きコピー料金表示１６５ｃも随時変更される（ステップＳ１０７）。ステップＳ１０８において、利用者が広告条件を確定するとステップＳ１０９に進む。ステップＳ１０９〜Ｓ１１３は、図８のステップＳ７〜Ｓ１１と同じであるので、説明は省略する。
【０１２４】
この方法によると広告画像の占有領域の割に情報量が少ないということも無く、また画像品質として許容される拡大率以上の拡大がなされることも無く、常に品質の良い広告付きコピーが得られる。また、複数の広告画像が確定された場合、既に確定されている広告画像占有領域は等分割されて、各広告画像に割り当てられる。図４１及び図４２は広告画像比率が異なるが、広告画像数はどちらも２であり、２つの広告画像のサイズ比率はどちらも同じである。等分割する事により、各広告画像の変倍率が同じにする事ができ、文字サイズ等もそろった見やすい広告付きコピーが得られる。
【０１２５】
こうして、あらかじめカラーデジタル複写機に登録されている広告画像情報と、複写するためにカラーデジタル複写機にセットされた原稿の原稿画像情報を同じ用紙の上に合わせて記録するモードを例えばカラーデジタル複写機に搭載することにより、このカラーデジタル複写機を設置する側にとってみれば、不特定多数の人に伝えたい情報を広告画像としてコピー画像と共に記録することが可能となる。第３者の広告主とカラーデジタル複写機を設置する側との新たな事業にも発展する。
【０１２６】
一方、このカラーデジタル複写機を利用する利用者側からみれば、自分自身が必要とする原稿の画像情報を大きく損なうこともなく広告画像が付加されたコピーが出力されるだけであって、特に問題にもならない。これによってコピー料金も下がったり、原稿画像情報とは異なる新たな情報あるいは特典が得られるので有効なものとなる。さらに広告画像サイズにより広告付きコピー料金が変わり、その料金とコピーの価値（原稿が縮小されることによるマイナス要因、原稿画像情報とは異なる新たな情報が得られるプラス要因）を天秤にかけて、コピー利用者自身が最適と思われる広告画像の占有領域を自らの意志で自由に決定することができる。このように利用者の選択範囲が広がることにより、広告付きコピーの利用率拡大につながる。
【０１３２】
【発明の効果】
本発明によれば、画像が記録される記録材上における特定画像の占有領域に応じて、料金が確定されるので、利用者は原稿に応じて、料金と特定画像の価値を考慮し、多くの選択肢の中から最適なものを選ぶことができる。例えば、料金を最優先にして選ぶこともでき、あるいは原稿画像優先にして余白部分にのみ広告画像を入れる程度の事もでき、選択肢が非常に多くなるため利用率のアップにつながる。
【０１３３】
本発明によれば、画像が記録される記録材上における広告画像の数を設定することが可能であり、この設定された広告画像の数により占有される広告画像の領域に応じて料金が確定されるので、利用者は原稿に応じて、その料金と特定画像の価値を考慮し、コピー利用者自身が自らの意志で最適と思われる広告画像数より広告画像の占有領域を決定することができる。
【０１３５】
本発明によれば、画像が記録される記録材上における告画像の占有領域を段階的に複数表示し、その中から設定することが可能であり、この設定された特定画像の占有領域に応じて料金も変化するので、利用者は原稿に応じて、その料金と特定画像の価値を考慮し、利用者自身が最適と思われる特定画像の占有領域を自らの意志で自由に決定することができる。
【０１３６】
本発明によれば、確定された画像が記録される記録材のサイズと、この確定された記録材上における特定画像の占有領域に応じて、料金が確定されるので、利用者はきめ細かい料金体系の多くの選択肢の中から、自らの意志で最適と思われるものを選択できる。選択範囲が広がり、利用率拡大につながる。
【０１３７】
本発明によれば、記録材上における特定画像の占有領域は、記録材のサイズと原稿のサイズから確定される限界値以下において設定（調整）が可能であるので、利用者は原稿画像品質を気にせず広告画像占有領域の設定ができ、常に品質の良い広告付きコピーが得られる。
【０１３８】
本発明によれば、設定された記録材上における広告画像の占有領域から、適切な広告画像を確定して記録するので、コピー利用者は、煩わしい広告画像確定の操作を一切行う必要がなく、簡単に広告画像付きコピーを得ることができる。
【０１３９】
本発明によれば、設定された特定画像の占有領域から、複数の特定画像を確定して記録するので、特定画像の占有領域の割に情報量が少ないということも無く、また画像品質として許容される拡大率以上の拡大がなされることも無く、常に品質の良い広告付きコピーが得られる。
【０１４０】
本発明によれば、設定された特定画像の占有領域から、複数の特定画像が確定された場合、特定画像の占有領域が等分割され、各特定画像サイズは同じであるので、各特定画像の変倍率がそろい、文字サイズ等もそろった見やすい広告付きコピーが得られる。
【０１４１】
本発明によれば、設定された記録材上における特定画像の占有領域内において、確定された特定画像が変倍記録されるので、コピー利用者が自ら倍率変更操作をしなくても、占有領域内において最も見栄えのよいサイズに自動的に特定画像が拡大あるいは縮小され、常に品質の良い合成出力が得られる。
【０１４２】
本発明によれば、設定された特定画像の占有領域内において確定された特定画像が変倍記録される場合、特定画像における倍率変換可能な範囲（広告画像に影響がない範囲）が特定画像毎にあらかじめ設定されているので、特定画像が判読できない程の縮小がなされたり、また粗くて見栄えの良くない拡大がなされることも無く、常に品質の良い合成出力が得られる。
【０１４３】
本発明によれば、記録材上における広告画像の占有領域の略中央に、確定された広告画像を記録するので、コピー利用者が自らセンタリング操作をしなくても、占有領域内において自動的に広告画像がセンタリングされ、常に見栄えの良い広告付きコピーが得られる。
【図面の簡単な説明】
【図１】本発明に係る画像処理装置の実施形態であるカラーデジタル複写機の構成を示す概略断面図である。
【図２】カラーデジタル複写機を核としたネットワークシステム示す構成図である。
【図３】カラーデジタル複写機に含まれている画像処理部分のブロック図である。
【図４】デジタル複写機の装置全体の各部を中央制御装置より動作管理を示すブロック図である。
【図５】カラーデジタル複写機における操作パネルを示す構成図である。
【図６】原稿画像情報と特定画像情報（広告画像等）を合成するカラーデジタル複写機の要部ブロック図である。
【図７】原稿画像と確定された広告画像の合成結果の一例を表した説明図である。
【図８】広告合成処理における第１実施形態を示す全体フローチャートである。
【図９】図８における画像処理の詳細フローチャートである。
【図１０】第１実施形態における液晶表示装置の初期画面を示す説明図である。
【図１１】「電気製品広告」選択エリアを指で直接押圧操作した場合の表示画面の説明図である。
【図１２】「電気製品広告」のジャンルをさらに細分類化した項目の選択エリア１６１ａを表示した画面の説明図である。
【図１３】広告付きコピー料金設定画面の説明図である。
【図１４】比率表示、広告画像領域表示を有する液晶表示装置の画面の説明図である。
【図１５】利用者の確認を得るため縮小された広告サンプル画像を表示した液晶表示装置の広告確定画面の説明図である。
【図１６】最終料金表示と料金投入指示を示す液晶表示装置の画面の説明図である。
【図１７】（ａ）〜（ｃ）は、広告画像の処理を示す説明図である。
【図１８】広告合成処理における第２実施形態を示すフローチャートである。
【図１９】第２実施形態における液晶表示装置の初期画面の説明図である。
【図２０】第２実施形態における用紙サイズ及び広告領域の選択画面の説明図である。
【図２１】他の用紙サイズ及び広告領域の選択画面の説明図である。
【図２２】第３実施形態における広告付きコピー料金の液晶表示装置の設定画面の説明図である。
【図２３】広告数が２になった広告付きコピー料金の液晶表示装置の設定画面の説明図である。
【図２４】第４実施形態における用紙サイズ、広告数及び広告領域の液晶表示装置の選択画面の説明図である。
【図２５】広告合成処理の第５実施形態を示すフローチャートである。
【図２６】第５実施形態における液晶表示装置の広告条件設定画面の説明図である。
【図２７】第５実施形態における広告条件を変えた場合の広告条件設定画面の説明図である。
【図２８】第５実施形態における最終料金表示と料金投入指示を示す画面の説明図である。
【図２９】広告合成処理の第６実施形態を示すフローチャートである。
【図３０】第６実施形態における液晶表示装置の広告条件設定画面の説明図である。
【図３１】下限値を表示した広告条件設定画面の説明図である。
【図３２】上限値を表示した広告条件設定画面の説明図である。
【図３３】広告合成処理の第７実施形態を示すフローチャートである。
【図３４】第７実施形態における液晶表示装置の初期画面の説明図である。
【図３５】第８実施形態における液晶表示装置の初期画面の説明図である。
【図３６】第９実施形態における液晶表示装置の広告条件設定画面の説明図である。
【図３７】広告合成処理の第１０実施形態を示すフローチャートである。
【図３８】第１０実施形態における液晶表示装置の広告条件設定画面の説明図である。
【図３９】広告合成処理の第１１実施形態を示すフローチャートである。
【図４０】第１１実施形態における液晶表示装置の広告条件設定画面の説明図である。
【図４１】広告比率０．３を示す液晶表示装置の広告条件設定画面の説明図である。
【図４２】広告比率０．４を示す液晶表示装置の広告条件設定画面の説明図である。
【符号の説明】
４１  画像処理部
４２  画像出力部
４４  ＣＰＵ
４５  画像編集部
４８  特定画像情報管理部
４９  操作基板ユニット
６０  操作パネル
６１  液晶表示装置
１０１  画像情報入力手段
１０５  画像情報合成部
１１０  広告画像
１１１    原稿画像情報
１１２  広告画像情報
【図１】
0003571217.tif 000002
【図２】
0003571217.tif 000003
【図３】
0003571217.tif 000004
【図４】
0003571217.tif 000005
【図５】
0003571217.tif 000006
【図６】
0003571217.tif 000007
【図７】
0003571217.tif 000008
【図８】
0003571217.tif 000009
【図９】
0003571217.tif 000010
【図１０】
0003571217.tif 000011
【図１１】
0003571217.tif 000012
【図１２】
0003571217.tif 000013
【図１３】
0003571217.tif 000014
【図１４】
0003571217.tif 000015
【図１５】
0003571217.tif 000016
【図１６】
0003571217.tif 000017
【図１７】
0003571217.tif 000018
【図１８】
0003571217.tif 000019
【図１９】
0003571217.tif 000020
【図２０】
0003571217.tif 000021
【図２１】
0003571217.tif 000022
【図２２】
0003571217.tif 000023
【図２３】
0003571217.tif 000024
【図２４】
0003571217.tif 000025
【図２５】
0003571217.tif 000026
【図２６】
0003571217.tif 000027
【図２７】
0003571217.tif 000028
【図２８】
0003571217.tif 000029
【図２９】
0003571217.tif 000030
【図３０】
0003571217.tif 000031
【図３１】
0003571217.tif 000032
【図３２】
0003571217.tif 000033
【図３３】
0003571217.tif 000034
【図３４】
0003571217.tif 000035
【図３５】
0003571217.tif 000036
【図３６】
0003571217.tif 000037
【図３７】
0003571217.tif 000038
【図３８】
0003571217.tif 000039
【図３９】
0003571217.tif 000040
【図４０】
0003571217.tif 000041
【図４１】
0003571217.tif 000042
【図４２】
0003571217.tif 000043